【事件の表示】
　特許第２６１１９０９号「小形直流モータ」の特許に対する特許異議の申立てについて、次のとおり決定する。
【結論】
　訂正を認める。
　特許第２６１１９０９号の特許を維持する。
【理由】
Ｉ．手続の経緯
　本件特許第２６１１９０９号は、昭和５８年７月１５日に特許出願した特願昭５８−１２７９３１号の一部を平成５年３月１５日に分割出願したものであり、平成９年２月２７日に特許の設定登録がなされ、その後、平成９年１１月２１日に倉本精一郎より特許異議の申立てがなされ、取消理由通知がなされ、その指定期間内である平成１０年６月２２日に訂正請求がなされたものである。
ＩＩ．訂正の適否についての判断
　１．訂正明細書の請求項１に係る発明
　訂正明細書の請求項１に係る発明（以下、本件発明という。）は、その特許請求の範囲の請求項１に記載された次の事項により特定されるとおりのものである。
「【請求項１】エンドブラケットを備え、該エンドブラケットの外面側に
２つの
両端にリード線を備えたダイオード４個を、ブリッジ整流回路を構成するように、各リード線を
井桁の
このブリッジ整流回路の出力側リード線
の２つの交点
直接
２つの
それぞれ
することで、前記２つの入力ターミナルから離間する位置に残り２つの交点を配慮し、この残りの２つの交点の近傍に棒状の突起をそれぞれ突設
四角形状に接続された前記ダイオードの対向位置間に、前記エンドブラケットの外側から凸部を突設してなる小型直流モータ。」
　２．訂正の目的の適否及び拡張・変更の存否
　上記訂正は、上記特許請求の範囲の請求項１の記載事項中、下線部の構成要件を付加しあるいは限定したものであって、特許請求の範囲の減縮に該当し、実質的に特許請求の範囲を拡張又は変更するものではない。
　３．独立特許要件の判断
　（１）引用刊行物の記載事項
　本件発明に対して、当審が通知した取消理由で引用した刊行物１（特開昭５３−４３８１２号公報）には、「モータケースの底面に透孔１ａを形成するとともに、中央にボス５ａ形成し該ボスの周縁に複数の透孔５ｂを形成し透孔の外周にリブ５ｃを形成してなる軸受台５のリブ内に電子機器を周設するようにしたことを特徴とする小型モータ。」（特許請求の範囲参照）が記載されている。
　上記電子機器として、雑音防止コイルやシリコン整流器等の電子部品を周設した例が開示されている。
　同刊行物２〔実願昭５４−８７４３５号（実開昭５５−２２９４号）のマイクロフィルム〕には、「モータの回転軸と直交する面内にて回転軸を囲むように４本のダイオードを四辺形に配置してブリッジ整流回路を形成し、上記整流回路の交流入力端をモータ入力端子に、直流出力端をブラシに接続して成る交直両用モータ。」が記載されている（実用新案登録請求の範囲参照）。
　（２）対比・判断
　本件発明（以下、前者という。）と上記引用刊行物１〜２に記載の事項（以下、後者という。）とを対比すると、後者のいずれも、少なくとも前者の構成要件である「両端にリード線を備えたダイオード４個を、ブリッジ整流回路を構成するように、各リード線を井桁の四角状に接続し、
このブリッジ整流回路の出力側リード線の２つの交点を直接前記２つの入力ターミナルにそれぞれ接続して各ダイオードを固定することで、前記２つの入力ターミナルから離間する位置に残り２つの交点を配設し、この残りの２つの交点の近傍に棒状の突起をそれぞれ突設する」構成を具備していない。
　そして、前者は上記構成要件を具備することにより、後者のいずれからも予測できない「…整流器のような発熱部品であってもダイオード２３は露出しかつ４個に分散分割されているため、部品が従来の埋設溝内取付のようなブラケット内に熱が蓄えられることもなく、モータの性能を充分に発揮できるものとすることができる。また、各リード線を井桁の四角状に接続しているので、モータへのブリッジの組み付け作業が容易に行えるとともに高い強度を確保することができる。また、…モータの振動による端子間接触を確実に防止しモータに回転不良を生じさせることはない。更に残り２つの交点の近傍に棒状の突起を突設しているので、放熱効果を妨げずに残りの２つの交点を外力から保護している。」という明細書記載のとおりの格別の作用効果を奏するものであるから、前者が後者に基づいて容易に発明をすることができたものとはいえない。
　したがって、本件発明は特許出願の際独立して特許を受けることができない発明とすることはできない。
　４．その他の訂正について
　上記特許請求の範囲の減縮に伴い、明細書の明りょうでない記載の釈明をしたものであって、実質的に特許請求の範囲を拡張又は変更するものではない。
　５．むすび
　以上のとおりであるから、上記訂正請求は、特許法第１２０条の４第２項及び同条第３項でさらに準用する第１２６条第２〜４項の規定に適合するので、当該訂正を認める。
ＩＩＩ．特許異議の申立てについての判断
　１．申立ての理由の概要
　異議申立人　倉本　精一郎は、甲第１号証（引用刊行物１）〜甲第２号証（引用刊行物２）を提出して、本件発明は、甲第１〜２号証に記載された事項に基づいて当業者が容易に発明をすることができたものであるので特許法第２９条第２項の規定に違反してなされたものであるので、その特許は取り消されるべきものである旨主張している。
　２．判断
　本件発明は、上記ＩＩ．３．で示したように、取消理由で引用した刊行物１〜２、すなわち甲第１〜２号証に記載された事項に基づいて当業者が容易に発明をすることができたものとすることはできない。
ＩＶ．むすび
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１１年６月１４日（１９９９．６．１４）
【訂正の要旨】
▲１▼訂正事項ａ
　平成１０年６月２２日の本請求人提出に係る訂正請求書により、特許請求の範囲に係る記載
「エンドブラケットを備え、該エンドブラケットの外面側に入力ターミナルを設けた小型直流モータにおいて、
両端にリード線を備えたダイオード４個を、ブリッジ整流回路を構成するように、各リード線を四角状に接続し、
このブリッジ整流回路の出力側リード線を前記入力ターミナルに接続して各ダイオードを固定するとともに、
四角形状に接続された前記ダイオードの対向位置間に、前記エンドブランケットの外側から凸部を突設してなる小型直流モータ。」
を、
「エンドブラケットを備え、該エンドブラケットの外面側に
２つの
両端にリード線を備えたダイオード４個を、ブリッジ整流回路を構成するように、各リード線を
井桁の
このブリッジ整流回路の出力側リード線
の２つの交点
直接
２つの
それぞれ
することで、前記２つの入力ターミナルから離間する位置に残り２つの交点を配設し、この残りの２つの交点の近傍に棒状の突起をそれぞれ突設
四角形状に接続された前記ダイオードの対向位置間に、前記エンドブランケットの外側から凸部を突設してなる小型直流モータ。」
と訂正致します。
▲２▼訂正事項ｂ
　現明細書項目【０００８】を、
「【課題を解決するための手段】本発明は、エンドブランケットを備え、該エンドブラケットの外面側に
２つの
井桁の
の２つの交点
直接
２つの
それぞれ
することで、前記２つの入力ターミナルから離間する位置に残り２つの交点を配設し、この残りの２つの交点の近傍に棒状の突起をそれぞれ突設
に訂正致します。
▲３▼訂正事項ｃ
　現明細書項目【００１１】を、
「更に本構造によれば、エンドブラケット２１の表面が有効に使用出来るため、図５に示す整流器１４に代え図７および図８に示すダイオード２３を４個四辺形に構成した全波整流回路２４を図１４および図１５のように取付可能となる。
このとき図１５に示すようにダイオード２３の両端のリード線は井桁状に接続される。
に訂正致します。
▲４▼訂正事項ｄ
　現明細書項目【００１２】を、
「すなわち両端にリード線を備えたダイオード２３を４個、ブリッジ整流回路２４を構成するように各リード線を
井桁の
４つの交点のうち出力端となる２つの交点を直接２つの
それぞれ
ことで、２つの入力ターミナル１０，１０から離間する位置に交流電源入力端となる残りの２つの交点を配設し、
このように、各リード線を井桁の四角状に接続しているので、モータへのブリッジの組み付け作業が容易に行えるとともに高い強度を確保することができる。また、出力端となる２つの交点を直接２つの入力ターミナル１０，１０にそれぞれ接続して、各ダイオードを固定することで、２つの入力ターミナル１０．１０から離間する位置に残りの２つの交点すなわち交流電源の入力端を配設しているので、モータの振動による端子間接触を確実に防止しモータに回転不良を生じさせることはない。更に図１４及び図１５において、２２は交流電源入力端となる残りの２つの交点の近傍に配設された棒状に突起であって、残りの２つの交点を外力から保護している。
に訂正致します。
▲５▼訂正事項ｅ
　現明細書項目【００１７】を、
「【発明の効果】以上のように本発明によれば、エンドブラケットを備え、該エンドブラケットの外面側に
２つの
井桁の
の２つの交点
直接
２つの
それぞれ
することで、前記２つの入力ターミナルから離間する位置に残り２つの交点を配設し、この残りの２つの交点の近傍に棒状の突起をそれぞれ突設
に訂正致します。
▲６▼訂正事項ｆ
　現明細書項目【００１９】を、
「
また、
また、出力端となる２つの交点を直接２つの入力ターミナルにそれぞれ接続して、各ダイオードを固定することで、２つの入力ターミナルから離間する位置に残りの２つの交点すなわち交流電源の入力端を配設しているので、モータの振動による端子間接触を確実に防止しモータに回転不良を生じさせることはない。更に残りの２つの交点の近傍に棒状の突起を突設しているので、放熱効果を妨げずに残りの２つの交点を外力から保護している。
（５４）【発明の名称】
小形直流モータ
（５７）【特許請求の範囲】
　　【請求項１】　エンドブラケットを備え、該エンドブラケットの外面側に
２つの
両端にリード線を備えたダイオード４個を、ブリッジ整流回路を構成するように、各リード線を
井桁の
このブリッジ整流回路の出力側リード線
の２つの交点
直接
２つの
それぞれ
することで、前記２つの入力ターミナルから離間する位置に残り２つの交点を配設し、この残りの２つの交点の近傍に棒状の突起をそれぞれ突設
四角形状に接続された前記ダイオードの対向位置間に、前記エンドブランケットの外側から凸部を突設してなる小型直流モータ。
【発明の詳細な説明】
　　　【０００１】
　　【産業上の利用分野】
　本発明は、小形直流モータの外部付属部品の取付に係り、特に構造が簡単でかつ作業性の良好な、エンドブラケットに関する。
　　　【０００２】
　　【従来の技術】
　直流モータを交流電源で、駆動させる場合、交流電源を整流した後に直流モータのターミナルに加えることになる。このとき、整流のために整流器を用いるが、従来はスイッチ付近や例えば図１に示す部品ケース１７に整流器１４を取り付けていた。
　　　【０００３】
　図１および図２において、ハウジング１はマグネット２を内蔵し、中心部にメタルバネ３に支持されたメタル４を有する。中央部はアマチュアコア５，整流子６，シャフト７，巻線８で構成されるアマチュア９を有する。
　他端はターミナル１０が貫通される絶縁性のエンドブラケット１１を有し、中心部にメタルバネ１２で支持されたメタル１３を有する。
　　　【０００４】
　このエンドブラケット１１には別体の部品ケース１７が取り付けられており、図３および図４に示すコンデンサ１６や、図５および図６に示す整流器１４が取り付けられている。
　整流器１４は交流を全波整流しターミナル１０を通してブラシ１５に供給する。雑防コンデンサ１６は整流器１４と共に部品ケース１７に位置決め挿入されている。部品ケース１７は穴１８にターミナル１０を通し、整流器１４，雑防用コンデンサ１６を半田付けすることにより固定している。
　　　【０００５】
　また、図９および図１０において、基板１９は回路を構成し、整流器１４、雑防コンデンサ１６を差込み半田付け後、穴２０に挿入し、半田付けすることによりターミナル１０と接続される。
　　　【０００６】
　　【発明が解決しようとする課題】
　以上の方法によると、外部付属部品を取付けるために、部品ケース１７，及び基板１９等を必要とするため高価となる。更に作業工数が増すとともに作業性が悪く、モータの全長も長くなるという欠点を有している。
　　　【０００７】
　しかもへアードライヤーやマッサージャのように振動や、落下衝撃を受けやすいものに使用する場合は、配線基板１９の破損や配線の絡み断線などの事故が発生し易く、また配線引き回し加工も面倒なもので、振動で動くものは接着剤にて固定する必要がある。
　本発明の目的は、外部付属部品特に整流器の取付が簡単に行えるエンドブラケットを提供することにある。
　　　【０００８】
　　【課題を解決するだめの手段】
　本発明は、エンドブランケットを備え、該エンドブラケットの外面側に
２つの
井桁の
の２つの交点
直接
２つの
それぞれ
することで、前記２つの入力ターミナルから離間する位置に残り２つの交点を配設し、この残りの２つの交点の近傍に棒状の突起をそれぞれ突設
　　　【０００９】
　　【実施例】
　本発明の一実施例について説明する。
　図１１ないし図１５において、エンドブラケット２１を弾性を有する樹脂材料（ジュラコン等）で構成し、対向する部品取付アーム２２をブラケットの表面に対し垂直方向に一体成形する。このため部品取付アーム２２は弾性力を発揮する。整流器１４，雑防コンデンサ１６等この部品取付アーム２２の上から挿入し、弾性固着する。よって各部品は確実に固定される為、部品の動きは生じない。
　　　【００１０】
　このとき部品取付アーム２２が弾性変形するため、部品の寸法ばらつきはアーム２２により吸収され、しかもその弾性変形の方向が、軸心に向く半径方向と直交方向に設定されているため、エンドブラケット２１に無理な力を加えることなく、ブラケットのずれやブラケットの変形による軸心位置のブラシ１５の傾き当り等の事故の原因とはならない。
　　　【００１１】
　更に本構造によれば、エンドブラケット２１の表面が有効に使用出来るため、図５に示す整流器１４に代え図７および図８に示すダイオード２３を４個四辺形に構成した全波整流回路２４を図１４および図１５のように取付可能となる。
このとき図１５に示すようにダイオード２３の両端のリード線は井桁状に接続される。
　　　【００１２】
　すなわち両端にリード線を備えたダイオード２３を４個、ブリッジ整流回路２４を構成するように各リード線を
井桁の
４つの交点のうち出力端となる２つの交点を直接２つの
それぞれ
ことで、２つの入力ターミナル１０，１０から離間する位置に交流電源入力端となる残りの２つの交点を配設し、
このように、各リード線を井桁の四角状に接続しているので、モータへのブリッジの組み付け作業が容易に行えるとともに高い強度を確保することができる。また、出力端となる２つの交点を直接２つの入力ターミナル１０，１０にそれぞれ接続して、各ダイオードを固定することで、２つの入力ターミナル１０．１０から離間する位置に残りの２つの交点すなわち交流電源の入力端を配設しているので、モータの振動による端子間接触を確実に防止しモータに回転不良を生じさせることはない。更に図１４及び図１５において、２２は交流電源入力端となる残りの２つの交点の近傍に配設された棒状に突起であって、残りの２つの交点を外力から保護している。
　　　【００１３】
　この凸部２５は、モータのメタル１３支持用突出部を活用しており、４個のダイオード２３が振動や組立時の変形などによって対向位置のダイオード相互が異常接触するのを防止し、安全性を高めている。
　　　【００１４】
　またブリッジ整流回路２４の入力側リード線はエンドブラケット２１から宙に浮いた構成になっているが、対向配置された弾力性を有する部品取付アーム２２間に位置するため外力から保護されている。
　　　【００１５】
　更に、部品取付アーム２２は、１対のターミナル１０，１０の配置間を結ぶ方向と直交する位置に立設されており、部品取付時のアーム２２に発生する弾着力がターミナル１０，１０の突出状態に影響を与え難くするとともに、図１２に示すようにアーム２２，２２間に取付けられた部品からのリード線をターミナル１０，１０に整然と引き回すことができ、配線上のトラブルの発生が防止できる。
　　　【００１６】
　また図１３に示すように、対向する部品取付アーム２２，２２の先端鉤状突起形状において、例えば高さ方向に差を持たせて弾性変形タイミングをずらせたり、一方側の先端鉤状が着脱両方向に変形自在とし、他方側のそれが装着方向にのみ変形自在とする形状等取付部品の形状用途に合わせて種々の変形が行なえるものである。
　　　【００１７】
　　【発明の効果】
　以上のように本発明によれば、エンドブラケットを備え、該エンドブラケットの外面側に
２つの
井桁の
の２つの交点
直接
２つの
それぞれ
することで、前記２つの入力ターミナルから離間する位置に残り２つの交点を配設し、この残りの２つの交点の近傍に棒状の突起をそれぞれ突設
　　　【００１８】
　特に、４つのダイオード２３の対向位置間に、エンドブラケット２１の凸部２５を突設し、相互異常接触を防止し、安全性を高めている。
　しかも、エンドブラケット２１のターミナル１０に直接ダイオード２３のリード線を接続固定するため、従来のような部品取付用部材をブラケット２１に装着する必要がなく、エンドブラケット２１全体に影響を与え難いので、エンドブラケット２１を不必要に変形させたり、この変形でメタルの軸心ずれや、モータブラシの傾きによる整流子との当り不良などの問題が発生することはない。
　　　【００１９】
　
また、
また、出力端となる２つの交点を直接２つの入力ターミナルにそれぞれ接続して、各ダイオードを固定することで、２つの入力ターミナルから離間する位置に残りの２つの交点すなわち交流電源の入力端を配設しているので、モータの振動による端子間接触を確実に防止しモータに回転不良を生じさせることはない。更に残りの２つの交点の近傍に棒状の突起を突設しているので、放熱効果を妨げずに残りの２つの交点を外力から保護している。
【図面の簡単な説明】
　　【図１】
　従来品の正面要部断面図である。
　　【図２】
　図１の側面図である。
　　【図３】
　雑防コンデンサの正面図である。
　　【図４】
　図３の雑防コンデンサの側面図である。
　　【図５】
　樹脂一体形の全波整流器である。
　　【図６】
　図５の全波整流器の側面図である。
　　【図７】
　ダイオード４個使用の全波整流器である。
　　【図８】
　図７の回路図である。
　　【図９】
　他の従来品の正面要部断面図である。
　　【図１０】
　図９の側面部である。
　　【図１１】
　モータの正面要部断面図である。
　　【図１２】
　同モータの側面図である。
　　【図１３】
　付属部品の弾着固定状態説明図である。
　　【図１４】
　本発明のダイオード４個使用の全波整流器取付説明図である。
　　【図１５】
　図１４の側面図である。
　　【符号の説明】
　１０　ターミナル
　１２　メタルバネ
　１３　メタル
　１４　整流器
　１６　雑防コンデンサ
　２１　エンドブラケット
　２２　部品取付アーム
　２３　ダイオード
　２４　全波整流器